(57)【要約】【課題】遊技盤とガラス扉枠とを難なく導通させ静電気を確実に逃がし得るようにして、静電気を原因とする種々の障害の発生を容易に防止できるようにする。【解決手段】遊技盤５の前面をガラス扉枠６によって覆うと共に、発射レール１３から発射したパチンコ球Ｐがガイドレール１４により囲われた遊技領域５ａに案内されて遊技するパチンコ遊技機において、前記ガラス扉枠６は導電性枠２８を有し、該導電性枠２８にガイドレール１４を走行するパチンコ球が接触する接触部３２を設け、該接触部３２にガイドレール１４を走行するパチンコ球Ｐが接触することにより該パチンコ球Ｐを介してガラス扉枠６とガイドレール１４とが導通するようにした。【選択図】図３
2004000804.tif 000002
【特許請求の範囲】
【請求項１】
　遊技盤の前面をガラス扉枠によって覆うと共に、発射レールから発射したパチンコ球がガイドレールにより囲われた遊技領域に案内されて遊技するパチンコ遊技機において、
　前記ガラス扉枠は導電性枠を有し、該導電性枠にガイドレールを走行するパチンコ球が接触する接触部を設け、該接触部にガイドレールを走行するパチンコ球が接触することにより該パチンコ球を介してガラス扉枠とガイドレールとが導通するようにしたことを特徴とするパチンコ遊技機。
【請求項２】
　前記接触部はガイドレール内に臨んで設けたことを特徴とする請求項１記載のパチンコ遊技機。
【請求項３】
　前記接触部に弾性を付与したことを特徴とする請求項１又は２に記載のパチンコ遊技機。
【請求項４】
　前記接触部はアウト口に対応位置して設けたことを特徴とする請求項１ないし３のいずれかに記載のパチンコ遊技機。
【請求項５】
　前記ガイドレールは内レールと外レールとからなり、該内レールと外レールは内レールの端部に設けたファール球防止部材と外レールを走行するパチンコ球によって導電するようにしたことを特徴とする請求項１ないし４のいずれかに記載のパチンコ遊技機。
【発明の詳細な説明】
【技術分野】
【０００１】
　本発明は静電気が帯電するのを防止するための帯電防止構造を備えたパチンコ遊技機に関するものである。
【背景技術】
【０００２】
　合板からなる遊技盤が着脱自在に装着されるパチンコ遊技機の前面枠は、一般にプラスチックにより成形され、該前面枠の前面にガラス扉枠や上部球受皿をヒンジ機構によって開閉可能に装着することによりパチンコ遊技機を構成している。
【０００３】
　そして周知のように、遊技盤の前面には帯状ステンレス製のガイドレールが釘止めされその内側に多数本の釘が配置されているとともに、可変表示装置，大入賞装置，球検出センサを備えた入賞口等が該遊技盤に実装され、遊技中に打球がこの遊技盤の前面を激しく流動する。このため静電気が発生し易く、この静電気が溜まって遊技制御回路等に高圧電流が流れ誤作動を起こす原因となることがあった。そこで遊技盤に設けられたガイドレールとガラス扉枠とを接触状に設ける等の静電気対策が施されていた。
【特許文献１】特開平５−２２８２５７号公報
【発明の開示】
【発明が解決しようとする課題】
【０００４】
　しかしながらガイドレールとガラス扉枠とを接触状に設けることは、製作組付けにおいて極めて正確な寸法が必要となり、コスト的にも高くなり、しかも度重なるガラス扉枠の開閉によりガラス扉枠およびガイドレールが変形破損したり、逆に接触があいまいになったりして、結果的に静電気対策となっていない場合が多いという問題があった。
【０００５】
　そこで本発明は、上記課題を解消し、ガイドレールを走行するパチンコ球を利用して静電気対策ができるパチンコ遊技機を提供するものである。
【課題を解決するための手段】
【０００６】
　上記目的を達成するために、請求項１記載の本発明は、遊技盤の前面をガラス扉枠によって覆うと共に、発射レールから発射したパチンコ球がガイドレールにより囲われた遊技領域に案内されて遊技するパチンコ遊技機において、前記ガラス扉枠は導電性枠を有し、該導電性枠にガイドレールを走行するパチンコ球が接触する接触部を設け、該接触部にガイドレールを走行するパチンコ球が接触することにより該パチンコ球を介してガラス扉枠とガイドレールとが導通するようにしたことを特徴とする。
【０００７】
　請求項２記載の発明は、請求項１記載の発明において、前記接触部はガイドレール内に臨んで設けたことを特徴とする。
【０００８】
　請求項３記載の発明は、請求項１又は２記載の発明において、前記接触部に弾性を付与したことを特徴とする。
【０００９】
　請求項４記載の発明は、請求項１ないし３のいずれかに記載の発明において、前記接触部はアウト口に対応位置して設けたことを特徴とする。また、該接触部に接触したパチンコ球をアウト口に導く誘導機能を備えるのが好ましい。
【００１０】
　請求項５記載の発明は、請求項１ないし４のいずれかに記載の発明において、前記ガイドレールは内レールと外レールとからなり、該内レールと外レールは内レールの端部に設けたファール球防止部材と外レールを走行するパチンコ球によって導電するようにしたことを特徴とする。
【００１１】
　また、本発明は、前記接触部にガイドレールを走行するパチンコ球を誘導する誘導手段を設けるのが好ましい。
【発明の効果】
【００１２】
　以上説明したように本発明に係るパチンコ遊技機は、ガラス扉枠に遊技盤に設けたガイドレールを走行するパチンコ球が接触する接触部を設けることによって、ガイドレールを走行するパチンコ球を介して遊技盤とガラス扉枠とを難なく導通させ静電気を確実に逃がし得るので、静電気を原因とする種々の障害の発生を容易に防止できる有益な効果がある。
【実施例１】
【００１３】
　以下に本発明に係わるパチンコ遊技機の実施の形態を図面を参照しつつ説明する。図１はガラス扉枠および前面板を開放した状態のパチンコ遊技機の斜視図である。図において１はパチンコ遊技機の機枠、２は機枠１の前面にヒンジ機構３を介して開閉自在に設けられる前面枠である。該前面枠２の裏面には遊技盤取付枠４を介して遊技盤５が着脱自在に取付けられており、前面枠２の前面にはガラス扉枠６がヒンジ機構７により開閉自在に装着され、その下方に打球供給用の上部球受皿８が取付けられている前面板９が開閉自在に装着されている。また、前面枠２の下部には上部球受皿８から溢出するパチンコ球を貯留する下部球受皿１０およびパチンコ球の弾発力を調節する操作ハンドル１１が設けられている。なお、本実施の形態では前面枠２および遊技盤取付枠４は、合成樹脂により一体に形成されている。
【００１４】
　前記遊技盤５は合板からなり、前面には遊技盤取付枠４の前面右下側に位置してファール球口１２を介して装着された発射レール１３から発射されたパチンコ球を誘導するガイドレール１４が釘止めされ、その内側を遊技領域５ａとして多数本の釘１５および風車３３が配置されているとともに、可変表示装置１６，大入賞装置１７，球検出センサを備えた入賞口１８等が実装されている。また、大入賞装置１７の下側領域にアウト口１９、アウト口飾り２０が設けられている。前記ガイドレール１４は帯状ステンレス製の内レール１４ａおよび外レール１４ｂからなり、内レール１４ａの先端部に金属製のファール球防止部材２１が設けられ、弾性を備えた金属片２１ａがスポット溶接により直接固着されている。
【００１５】
　前記発射レール１３は、所要の厚みを有する金属板をプレス機により打抜き加工して一枚板として形成される取付板２２に、ステンレス等の帯状の金属板によりＭ字状に形成されるレール本体２３および打球を発射位置２４に位置決めする位置決め部材２５が設けられている。
【００１６】
　前記ガラス扉枠６は、遊技盤５の遊技領域が視認可能な方形状の開口が形成される金属板２６とその表面にレンズ部材等の合成樹脂製の装飾部材２７とで構成され、該金属板２６の内周縁にコ字状の金属製枠部２８が一体的に設けられており、該金属製枠部２８の溝部２９，２９に板ガラス３０が保持されている。３１はガラス扉枠６を閉止状態に保つための鍵部材である。
【００１７】
　しかして、この実施形態では図２ないし図５に示すようにアウト口１９の前面に位置して金属製枠部２８の下側縁にガラス扉枠６を閉じたとき内レール１４ａを走行するパチンコ球Ｐと接触可能な接触部３２を延設している。該接触部３２は、遊技盤５側に山形状に屈曲して内レール１４ａ内に臨み内レール１４ａを走行するパチンコ球Ｐと接触しやすくすると共に該パチンコ球Ｐをアウト口１９に導く誘導機能を備えている。
【００１８】
　上記構成のパチンコ遊技機は、操作ハンドル１１を操作して発射レール１３からパチンコ球Ｐを打ち出すとガイドレール１４に囲まれた遊技領域５ａに打ち込まれる。そして、釘１５および風車３３等に接触しながら遊技盤５面を流下し入賞口１８に入賞しなかったパチンコ球Ｐは内レール１４ａによってアウト口１９に導かれる。このとき内レール１４ａを走行するパチンコ球Ｐは図３および図４に示すようにアウト口１９でガラス扉枠６の接触部３２と接触し、図４矢印に示すようにアウト口１９に誘導すると共に、該パチンコ球Ｐを介してガイドレール１４およびガラス扉枠６が導通状態となり、遊技盤５面上およびパチンコ球Ｐに帯びた静電気がガラス扉枠６に流れることになる。
【００１９】
　このように、常にはガラス扉枠６とガイドレール１４とが接触しておらずガイドレール１４を走行するパチンコ球Ｐを介して導通させることにより、遊技盤５に発生した静電気がガラス扉枠６に確実に逃がされその電位差が解消されることから静電気が原因で起こる誤作動等の種々の障害が解消される。しかもガラス扉枠６とガイドレール１４との間の隙間寸法を厳密にすることがなく、遊技盤５のみの交換に際しても誤差を気にすることなく作業性がよくなる。また、接触部３２をアウト口１９に位置して設けることにより、アウト口１９が内レール１４ａの最下部にあることから入賞しなかったパチンコ球Ｐが必ず導かれるため、接触部３２との接触頻度が高くなりそれにともない導通状態も頻繁となり除電効果もよくなる。
【００２０】
　さらに、前記ヒンジ機構７の軸受金具とガラス扉枠６とを導通させ、該軸受金具にアース線を接続させることで、さらに万全の静電気対策となり得る。また、遊技盤５の表面全体に貼られているプラスチック板（いわゆるセル板）を導電性のものとすれば、ガイドレール１４と他の実装部品とが電気的に導通し、遊技盤５の静電気をより完全に逃がすことができる。
【００２１】
　図５および図６に示した実施形態は、ガイドレール１４を走行するパチンコ球Ｐを接触部３２に誘導する誘導手段を示し、図５はアウト口飾り２０に緩やかなテーパー面を有する山形状の誘導突起３６を設けており、内レール１４ａの遊技盤５側を走行するパチンコ球Ｐが誘導突起３６に接触して同図鎖線に示すように接触部３２に誘導するようにして、確実に接触部３２に接触してガラス扉枠６とガイドレール１４とを導通させるようにしている。なお、該誘導突起３６は図６に示すように大入賞装置１７の取付板１７ａに設けて接触部３２にパチンコ球Ｐを誘導するようにしてもよい。また、図７は矢印に示すように内レール１４ａの傾斜を接触部３２側に傾斜させて、内レール１４ａを走行するパチンコ球Ｐを接触部３２にスムーズに誘導するようにして確実に接触部３２に接触するようにしている。
【００２２】
　また、図８に示すように接触部３２にスリット３５を設けて、該接触部３２に弾性を付与するようにしてもよく、ガイドレール１４を走行するパチンコ球が接触部３２に接触した際に同図鎖線のように接触部３２が撓み衝撃を緩和するようにすることができる。また、図９に示すように接触部３２は内レール１４ａに臨む板状の弾性片としても同様の効果を得ることができる。
【００２３】
　図１０は内レール１４ａと外レール１４ｂとをファール球防止部材２１を介して導通するようにした実施の形態を示し、ファール球防止部材２１は内レール１４ａと導電的に設けられており、外レール１４ｂに沿って走行するパチンコ球Ｐが同図鎖線のように金属片２１ａを撓ませて通過する際に該パチンコ球Ｐによって内レール１４ａと外レール１４ｂとが導通して外レール１４ｂに帯電する静電気をガラス扉枠６に放電することができる。また、図１１に示すような枠部材２１ｂを備えたファール球防止部材２１においては、金属片２１ａの一部を曲形状にして屈曲部２１ｃを形成して弾性を付与し、該屈曲部２１ｃを内レール１４ａに当接させて固着して、内レール１４ａと金属片２１ａを確実に導通させるようにしてもよい。さらに、図１２に示すようにファール球防止部材２１の金属片２１ａを揺動自在に設け、常には金属片２１ａと内レール１４ａは導通しておらず外レール１４ｂに沿って走行するパチンコ球Ｐが同図鎖線のように金属片２１ａに接触して通過する際に、金属片２１ａの他端が内レール１４ａに接触して内レール１４ａと外レール１４ｂとを導通させるようにしてもよい。また、当然のことながらファール球防止部材２１を一体的に設けたサイドランプにおいても導通可能であり、例えば、サイドランプ本体の外側面に薄板状の弾性内レール部材を取付けてその上端を本体から突出させてその突出部分を球戻り防止部とした（本出願人による実登２５８２２２９号）場合には、該弾性内レール部材と内レール１４ａとを直接接触させるようにすればよい。なお、直接金属片２１ａと内レール１４ａを導通させることなく別部材を介して導通させるようにしてもよい。
【００２４】
　さらに、図１３に示すように内レール１４ａの下方に位置して発射レール１３から打ち出したパチンコ球Ｐが戻らないようにしてファール球口１２に導く戻り球防止部材３７を内レール１４ａと接触させて導電的に設け、同図鎖線に示すようにレール本体２３を走行するパチンコ球Ｐを介して内レール１４ａと導通するようにして発射レール１３に帯電する静電気をガラス扉枠６に放電することも可能である。
【００２５】
　なお、上記実施の形態において接触部３２を金属製枠部２８と一体に形成するようにしたが、別体に成形し例えば図１４に示すように差込片３４を金属製枠部２８の溝部２９に嵌め込んでガラス扉枠６に導電可能な状態で設けるようにしてもよく、接触部３２を備えていない従来のガラス扉枠にも装着可能とすることができる。
【００２６】
　また、接触部３２の形状についても上記実施形態にとらわれるものでないことは勿論であり、ガラス扉枠６の閉鎖時には常にガイドレール１４とガラス扉枠６が接触状態ではなく、ガイドレール１４を走行するパチンコ球Ｐによってガイドレール１４とガラス扉枠６が導通するようにすればよい。例えば図１５および図１６に示すように内レール１４ａに窪み部３８を形成すると共に該窪み部３８の上面に平面状に臨んで接触部３２を設けるようにしてもよく、内レール１４ａを走行してきたパチンコ球Ｐが図１５および図１６鎖線に示すように接触部３２に乗り移る際に該パチンコ球Ｐを介して内レール１４ａとガラス扉枠６とを導通状態とすることができる。このとき、内レール１４ａと接触部３２とに僅かな段差があるため内レール１４ａを走行してきたパチンコ球Ｐは窪み部３８範囲内を何度も往復動し、その度に内レール１４ａとガラス扉枠６が導通状態となり確実な放電が可能となる。なお、内レール１４ａに窪み部３８を形成して接触部３２を臨ませるようにしたが、内レール１４ａを切欠きして該切欠き部に接触部３２を臨ませるようにしてもよい。
【００２７】
　また、接触部３２をガラス扉枠６の下側に設けて内レール１４ａを走行するパチンコ球Ｐを介して導通するようにしたが、外レール１４ｂを走行するパチンコ球Ｐを介して導通するようにしてもよく、さらに接触部３２を左右側縁に設けるようにすることも可能である。なお、接触部３２の設置場所は金属製枠部２８に限ることなく金属板２６等の導電部材に設けるようにしてもよい。
【００２８】
　また、本実施の形態においてガラス扉枠６および前面板９をそれぞれ別々に開閉するようにしたが、ガラス扉枠６および前面板９，さらに下部球受皿１０が一体的に形成されて開閉されるものであってもよいのはいうまでもない。
【図面の簡単な説明】
【００２９】
【図１】ガラス扉枠および前面板を開放した状態のパチンコ遊技機の斜視図である。
【図２】ガラス扉枠の要部斜視図である。
【図３】要部の側断面図である。
【図４】図３の平断面図である。
【図５】他の実施形態の平断面図である。
【図６】ガイドレールの下部部分の斜視図である。
【図７】他の実施形態の平断面図である。
【図８】他の実施形態の平断面図である。
【図９】他の実施形態の平断面図である。
【図１０】ファール球防止部材部分の正面図である。
【図１１】他の実施の形態のファール球防止部材部分の正面図である。
【図１２】他の実施の形態のファール球防止部材部分の正面図である。
【図１３】発射レール部分の正面図である。
【図１４】接触部を別体とした実施形態の側断面図である。
【図１５】他の実施形態の正面図である。
【図１６】図１５の平断面図である。
【符号の説明】
【００３０】
　５　　　　　遊技盤
　５ａ　　　　遊技領域
　６　　　　　ガラス扉枠
　１３　　　　発射レール
　１４　　　　ガイドレール
　１４ａ　　　内レール
　１４ｂ　　　外レール
　１９　　　　アウト口
　２１　　　　ファール球防止部材
　２８　　　　金属製枠部（導電性枠）
　３２　　　　接触部
　３６　　　　誘導突起（誘導手段）
　Ｐ　　　　　パチンコ球
【図１】
2004000804.tif 000003
【図２】
2004000804.tif 000004
【図３】
2004000804.tif 000005
【図４】
2004000804.tif 000006
【図５】
2004000804.tif 000007
【図６】
2004000804.tif 000008
【図７】
2004000804.tif 000009
【図８】
2004000804.tif 000010
【図９】
2004000804.tif 000011
【図１０】
2004000804.tif 000012
【図１１】
2004000804.tif 000013
【図１２】
2004000804.tif 000014
【図１３】
2004000804.tif 000015
【図１４】
2004000804.tif 000016
【図１５】
2004000804.tif 000017
【図１６】
2004000804.tif 000018